(57)【要約】【課題】表示装置を備えた遊技機において、表示装置の取付構造による不具合を解消し得る遊技機を提供する。【解決手段】遊技機の遊技盤３には窓部８１が形成されている。窓部８１には、その前面側から取付枠８３が嵌め込まれている。取付枠８１には、収納凹部８５が形成されており、そこに表示装置ＤＳが嵌め込まれている。また、遊技盤３の前面部には装飾カバーが取付けられており、取付枠８３及び表示装置ＤＳの抜け落ちを防止している。【選択図】      図４
2004305774.tif 000002
【特許請求の範囲】
【請求項１】
遊技領域を備えた遊技盤と、その遊技盤に開設された窓部に取付けられる表示装置と、前記遊技盤の背面側において前記表示装置を取付けるための取付枠とを備えた遊技機において、
前記表示装置と前記取付枠とを所定の着脱手段により着脱可能とした取付構造を有する遊技機。
【請求項２】
遊技領域を備えた遊技盤と、その遊技盤に開設された窓部に取付けられる表示装置と、前記遊技盤の背面側において前記表示装置を取付けるための取付枠とを備えた遊技機において、
前記表示装置の一側面において、当該表示装置を前記取付枠に係止するための係止部材をスライド可能に設け、
前記取付枠に前記係止部材の先端部を嵌入可能な嵌入受部を設け、
前記係止部材のスライド操作によって、前記表示装置を前記取付枠に対して着脱可能とした取付構造を有する遊技機。
【請求項３】
遊技領域を備えた遊技盤と、その遊技盤に開設された窓部に取付けられる表示装置と、前記遊技盤の背面側において前記表示装置を取付けるための取付枠とを備えた遊技機において、
前記表示装置の一側面において、当該表示装置を前記取付枠に係止するための一対の第１係止部材を設け、
前記一側面と相対向する側面において、一対の第２係止部材をスライド可能に設け、
前記取付枠に、前記各第１係止部材を嵌入可能な一対の第１受部と、
前記各第２係止部材の先端部を嵌入可能な一対の第２受部とを設け、
前記各第１係止部材を前記各第１受部に嵌入するとともに、前記各第２係止部材をスライド操作して、前記各第２係止部材の先端部を前記各第２受部に嵌入することにより、前記表示装置を前記取付枠に取付ける取付構造を有した遊技機。
【請求項４】
前記第１係止部材は、前記表示装置の側面から突出するように、その基部から先端部に向かって先細りした突型形状に形成され、
前記第１受部は、凹型形状であって、その底部から開口部に向かって広がるような開口形状に形成されており、
前記第１係止部材の先端部を前記第１受部の開口部に合わせて粗位置決めし、
前記第１係止部材全体を前記第１受部の形状に沿って滑らせるように、当該第１受部に嵌入していくことにより、
前記表示装置をその取付位置に誘導できるようにしたことを特徴とする請求項３に記載の遊技機。
【請求項５】
前記取付枠には、前記表示装置を嵌め込むための嵌合凹部が形成され、
前記第１係止部材を前記第１受部に嵌入した上で、前記嵌合凹部に前記表示装置を嵌め込んで位置決めし、
その状態で前記第２係止部材を操作し、前記表示装置を前記取付枠に取付けるようにしたことを特徴とする請求項３又は４に記載の遊技機。
【発明の詳細な説明】
【技術分野】
【０００１】
本発明は、表示装置を備えた遊技機に関する。
【背景技術】
【０００２】
遊技機の一種として、図柄を可変表示する表示装置を備えたパチンコ機等が知られている。この種のパチンコ機等では、表示装置を取付けるための取付枠が遊技盤の背面側において設けられている。表示装置はこの取付枠にビス等の固定部材により固定されている。
【発明の開示】
【発明が解決しようとする課題】
【０００３】
ところが、上述したような表示装置の取付構造では、表示装置をしっかりと取付けるために複数のビス等が用いられるとともに、ビス止めする際には表示装置と取付枠にそれぞれ設けられたビス孔を合致させた上で固定作業を行わなければならなかった。つまり、慎重な作業が要求され、作業効率の低下を招いていた。さらに、パチンコ機等を構成する部品点数の増大、その組付け工程における工数の増大等といった不具合が生じていた。
【０００４】
本発明は、かかる事情に鑑みてなされたものであり、パチンコ機等の遊技機に係り、特に表示装置を備えた遊技機において、表示装置の取付構造による不具合を解消し得る遊技機を提供することを主たる目的の一つとしている。
【課題を解決するための手段】
【０００５】
上記の目的を達成するために有効な手段を中心として、以下に特徴的手段につき説明する。なお、必要に応じてその作用効果等についても説明する。
【０００６】
手段１．遊技領域が形成された遊技盤と、その遊技盤に開設された窓部に取付けられる表示装置とを備えた遊技機において、
前記窓部に、前面部の開口した箱枠部材が嵌合され、当該箱枠部材に前記表示装置が収納されることにより、
前記表示装置が前記遊技盤に取付けられる取付構造を有した遊技機。
【０００７】
上記手段１によれば、遊技盤に箱枠部材を嵌合し、その箱枠部材に表示装置を収納することにより、表示装置が遊技盤に取付けられる。これにより、固定部材等の部品点数が減ることとなり、比較的少ない部品点数で表示装置を遊技盤に取付けることができる。結果として、慎重な取付作業を必要とせず、作業の効率化を図ることができる。また、パチンコ機等を構成する部品点数の増大、その組付け工程における工数の増大等といった不具合を低減することができる。
【０００８】
手段２．手段１において、前記箱枠部材には、前記表示装置の外形状と略一致する収納凹部が形成されていることを特徴とする遊技機。
【０００９】
上記手段２によれば、表示装置は収納凹部に嵌まり込むように収納されるため、表示装置の箱枠部材内での位置ズレを抑えることができる。また、表示装置を収納する際には、収納凹部の形状に沿って収納すればよいため、比較的簡単に表示装置を収納することができる。結果として、慎重な取付作業を必要とせず、作業の効率化を図ることができる。
【００１０】
手段３．手段１又は手段２において、前記表示装置には、外部と電気的に接続可能とするための接続端子が当該表示装置の背面側に露出するように設けられ、
前記箱枠部材の底部には、前記接続端子に通じる通孔が形成されていることを特徴とする遊技機。
【００１１】
上記手段３によれば、箱枠部材の底部には、表示装置の接続端子に通じる通孔が形成されているため、外部からのコネクタケーブル等を前記接続端子に接続する作業を容易に行うことができる。結果として、遊技機の組付け工程における工数の増大といった不具合を低減することができる。
【００１２】
手段４．手段１乃至手段３のいずれかにおいて、前記箱枠部材の開口部周縁には係止縁部が形成され、
前記窓部には、前記遊技盤の前面側において、前記係止縁部が係合される係合段差部が形成され、
前記箱枠部材を前記遊技盤の前面から前記窓部に挿入し、前記係止縁部を前記係合段差部に当接させ、
前記窓部の周縁を覆うような装飾部材を前記遊技盤の前面部に取付けることによって、前記係止縁部が前記係合段差部に押さえ付けられるようにしたことを特徴とする遊技機。
【００１３】
上記手段４によれば、装飾部材が箱枠部材の開口部周縁に形成された係止縁部を押さえ付けているため、箱枠部材の抜け落ちを防止することができる。
【００１４】
手段５．遊技領域を備えた遊技盤と、その遊技盤に開設された窓部に取付けられる表示装置と、前記遊技盤の背面側において前記表示装置を取付けるための取付枠とを備えた遊技機において、
前記表示装置と前記取付枠とを所定の着脱手段により着脱可能とした取付構造を有する遊技機。
【００１５】
上記手段５によれば、前記着脱手段によって、表示装置を容易に取付枠と着脱できる。これにより、ビス等の固定部材を用いることなく、表示装置を取付枠に取付けることができる。また、固定部材等の部品点数が減ることとなり、比較的少ない部品点数で表示装置を遊技盤に取付けることができる。結果として、慎重な取付作業を必要とせず、作業の効率化を図ることができる。また、パチンコ機等を構成する部品点数の増大、その組付け工程における工数の増大等といった不具合を低減することができる。
【００１６】
手段６．遊技領域を備えた遊技盤と、その遊技盤に開設された窓部に取付けられる表示装置と、前記遊技盤の背面側において前記表示装置を取付けるための取付枠とを備えた遊技機において、
前記表示装置の一側面において、当該表示装置を前記取付枠に係止するための係止部材をスライド可能に設け、
前記取付枠に前記係止部材の先端部を嵌入可能な嵌入受部を設け、
前記係止部材のスライド操作によって、前記表示装置を前記取付枠に対して着脱可能とした取付構造を有する遊技機。
【００１７】
上記手段６によれば、係止部材をスライド操作することによって、表示装置を容易に取付枠と着脱できる。これにより、ビス等の固定部材を用いることなく、表示装置を取付枠に取付けることができる。また、固定部材等の部品点数が減ることとなり、比較的少ない部品点数で表示装置を遊技盤に取付けることができる。結果として、慎重な取付作業を必要とせず、作業の効率化を図ることができる。また、パチンコ機等を構成する部品点数の増大、その組付け工程における工数の増大等といった不具合を低減することができる。
【００１８】
手段７．遊技領域を備えた遊技盤と、その遊技盤に開設された窓部に取付けられる表示装置と、前記遊技盤の背面側において前記表示装置を取付けるための取付枠とを備えた遊技機において、
前記表示装置の一側面において、当該表示装置を前記取付枠に係止するための一対の第１係止部材を設け、
前記一側面と相対向する側面において、一対の第２係止部材をスライド可能に設け、
前記取付枠に、前記各第１係止部材を嵌入可能な一対の第１受部と、
前記各第２係止部材の先端部を嵌入可能な一対の第２受部とを設け、
前記各第１係止部材を前記各第１受部に嵌入するとともに、前記各第２係止部材をスライド操作して、前記各第２係止部材の先端部を前記各第２受部に嵌入することにより、前記表示装置を前記取付枠に取付ける取付構造を有した遊技機。
【００１９】
上記手段７によれば、各第１係止部材を各第１受部に嵌入するとともに、各第２係止部材をスライド操作して、各第２係止部材の先端部を各第２受部に嵌入することにより、表示装置を取付枠に取付ける。これにより、ビス等の固定部材を用いることなく、表示装置を取付枠に取付けることができる。また、固定部材等の部品点数が減ることとなり、比較的少ない部品点数で表示装置を遊技盤に取付けることができる。結果として、慎重な取付作業を必要とせず、作業の効率化を図ることができる。また、パチンコ機等を構成する部品点数の増大、その組付け工程における工数の増大等といった不具合を低減することができる。
【００２０】
手段８．手段７において、前記第１係止部材は、前記表示装置の側面から突出するように、その基部から先端部に向かって先細りした突型形状に形成され、
前記第１受部は、凹型形状であって、その底部から開口部に向かって広がるような開口形状に形成されており、
前記第１係止部材の先端部を前記第１受部の開口部に合わせて粗位置決めし、
前記第１係止部材全体を前記第１受部の形状に沿って滑らせるように、当該第１受部に嵌入していくことにより、
前記表示装置をその取付位置に誘導できるようにしたことを特徴とする遊技機。
【００２１】
上記手段８によれば、第１係止部材の先端部を第１受部の開口部に合わせて粗位置決めすれば、その後は、第１係止部材全体を第１受部の形状に沿って滑らせるように嵌入していくだけで、比較的簡単に表示装置をその取付位置に位置決めすることができる。このため、初めから表示装置全体をその取付位置に合わせて位置決めしなくとも、第１係止部材の先端部を第１受部の開口部に合わせて粗位置決めするだけで、表示装置を取付位置に位置決めすることができる。その結果、慎重な取付作業を必要とせず、作業の効率化を図ることができる。
【００２２】
手段９．手段８において、前記第１受部は、前記取付枠の背面に突出し、前記取付枠の背面に相対向する側面が前記取付枠の背面に対して傾斜するように形成されていることを特徴とする遊技機。
【００２３】
上記手段９によれば、第１受部は、取付枠の背面に相対向する側面が取付枠の背面に対して傾斜するように形成されている。これにより、表示装置を取付枠に密着させずに、取付枠に対して傾けた状態で、第１係止部材を第１受部に嵌入することができる。結果として、第１係止部材を第１受部に嵌入し易くなり、表示装置の取付作業時の作業効率を上げることができる。
【００２４】
手段１０．手段７において、前記第１受部は、前記取付枠の背面に突出するように形成され、その形状は一面が開口するような凹型の箱形状であって、前記取付枠の背面に相対向する側面が前記取付枠の背面に対して傾斜するように形成され、その底部から開口部に向かって広がるような開口形状となっていることを特徴とする遊技機。
【００２５】
上記手段１０によれば、第１受部は、取付枠の背面に相対向する側面が取付枠の背面に対して傾斜するように形成され、その底部から開口部に向かって広がるような開口形状となっている。これにより、表示装置を取付枠に密着させずに、取付枠に対して傾けた状態で、第１係止部材を第１受部に嵌入することができる。結果として、第１係止部材を第１受部に嵌入し易くなり、表示装置の取付作業時の作業効率を上げることができる。
【００２６】
手段１１．手段８乃至手段１０のいずれかにおいて、前記第１受部は、前記表示装置の荷重を支えられるように上方に向かって開口し、
前記表示装置の荷重が前記第１受部に支えられることによって、前記表示装置がその取付位置に位置決めされることを特徴とする遊技機。
【００２７】
上記手段１１によれば、第１受部によって、表示装置の荷重が支えられ、表示装置が位置決めされる。これにより、前記第２係止部材の操作を安定した状況で行うことができる。結果として、容易に表示装置の取付作業を行うことができ、表示装置の取付作業時の作業効率を上げることができる。
【００２８】
手段１２．手段７において、前記第１受部は、前記表示装置の荷重を支えられるように、その上部が開口した凹型形状であって、
前記表示装置の荷重が前記第１受部に支えられることによって、前記表示装置がその取付位置に位置決めされることを特徴とする遊技機。
【００２９】
上記手段１２によれば、第１受部によって、表示装置の荷重が支えられ、表示装置が位置決めされる。これにより、前記第２係止部材の操作を安定した状況で行うことができる。結果として、容易に表示装置の取付作業を行うことができ、表示装置の取付作業時の作業効率を上げることができる。
【００３０】
手段１３．手段７乃至手段１２のいずれかにおいて、前記第１係止部材又は第１受部のいずれか一方に係合突部を設け、他方に前記係合突部と係合される係合凹部を設けることによって、
前記第１受部に嵌入された前記第１係止部材が位置決めされるようにしたことを特徴とする遊技機。
【００３１】
上記手段１３によれば、係合突部と係合凹部とが係合されることにより、第１係止部材が位置決めされる。例えば、第１係止部材を第１受部に嵌入し易くするために、第１受部の大きさを第１係止部材の大きさに比べて大きく形成された構成で、第１係止部材を第１受部に嵌入したような場合であっても、係合突部と係合凹部とが設けられていることから、正確に第１係止部材を位置決めすることができるようになっている。また、第１受部における第１係止部材の位置ズレが防止され、より正確に表示装置を取付位置に位置決めすることができる。
【００３２】
手段１４．手段７乃至手段１３のいずれかにおいて、前記第２係止部材は、前記表示装置の取付面と平行してスライドするように設けられていることを特徴とする遊技機。
【００３３】
上記手段１４によれば、第２係止部材が表示装置の取付面と平行してスライドするように設けられているため、第２係止部材が第２受部に嵌入された状態では、表示装置が取付枠から抜け落ちにくくなる。
【００３４】
手段１５．手段７乃至手段１４のいずれかにおいて、前記表示装置には、前記第２係止部材をスライド可能に保持する保持部が一体形成されていることを特徴とする遊技機。
【００３５】
上記手段１５によれば、保持部が表示装置に一体形成され、そこに第２係止部材が保持されている。そのため、表示装置の取付の際に、第２係止部材を別途用意する必要がない。結果として、パチンコ機等を構成する部品点数を低減することができる。また、第２係止部材の紛失を極力防止することができる。
【００３６】
手段１６．手段７乃至手段１５のいずれかにおいて、前記取付枠には、前記表示装置を嵌め込むための嵌合凹部が形成され、
前記第１係止部材を前記第１受部に嵌入した上で、前記嵌合凹部に前記表示装置を嵌め込んで位置決めし、
その状態で前記第２係止部材を操作し、前記表示装置を前記取付枠に取付けるようにしたことを特徴とする遊技機。
【００３７】
上記手段１６によれば、取付枠には嵌合凹部が形成されており、この嵌合凹部に表示装置を嵌め込んで位置決めした状態で、第２係止部材の操作を行う。これにより、第２係止部材の操作を安定した状況で行うことができる。結果として、容易に表示装置の取付作業を行うことができ、表示装置の取付作業時の作業効率を上げることができる。
【００３８】
手段１７．手段１乃至手段１６のいずれかにおいて、遊技機は弾球遊技機であること。中でも、弾球遊技機の基本構成としては、操作ハンドルを備えていてそのハンドル操作に応じて遊技球を所定の遊技領域に発射させ、遊技球が遊技領域内の所定の位置に配置された作動口に入賞することを必要条件として表示装置において変動表示されている識別情報が所定時間後に確定停止されることが挙げられる。また、特別遊技状態発生時には遊技領域内の所定の位置に配置された可変入賞装置が所定の態様で開放されて遊技球を入賞可能とし、その入賞個数に応じた有価価値（景品球のみならず、磁気カードへの書き込み等も含む）が付与されることが挙げられる。
【発明を実施するための最良の形態】
【００３９】
〔第１の実施の形態〕
以下に、遊技機の一種である弾球遊技機、特にパチンコ遊技機（以下、単に「パチンコ機」という）に適用した一実施の形態について、図面を参照しつつ説明する。
【００４０】
図１に示すように、パチンコ機の外形を構成する外枠１には前枠２が一側の回動軸を中心に回動可能に装着されている。同図では前枠２は閉じた状態にある。前枠２には、遊技盤３（図２参照）、遊技盤３の前方に設けられガラス板４ａを有してなるガラス扉枠４、上皿５、下皿６、ハンドル７等が装着されている。上皿５の側方であって、前枠２の内部にはスピーカ８が埋設されている。スピーカ８は、遊技の進行に伴い種々の効果音を鳴らしたり、遊技者に遊技状態を音声にて報知する。前記遊技盤３の後部には機構盤や遊技球発射機構６７（図３参照）が配設されている。
【００４１】
パチンコ機の正面左側にはカード挿入口９ａが形成されたカードサンド９が付設されている。パチンコ機の正面側、例えば上皿５には貸玉スイッチ１０ａ、返却スイッチ１０ｂ及び残額表示器１０ｃを備えたカード関連ユニット１０が設けられている。貸球スイッチ１０ａはカードに記録された情報に基づいて貸出球を得るために操作されるものであり、カードに残額が存在する限りにおいて貸出球が上皿５に供給される。返却スイッチ１０ｂはカードサンド９に挿入されたカードの返却を求める場合に操作される。残額表示器１０ｃはカードの残額情報を表示するものである。
【００４２】
次に、遊技盤３の遊技面上の構成について説明する。図２に示すように、遊技盤３には誘導レール等によって略円形の遊技領域が形成されている。遊技盤３の遊技領域内には、作動口ユニット１１及び大入賞口ユニット１２が設けられている。
【００４３】
作動口ユニット１１は、遊技媒体としての遊技球Ｂが入賞したり通過する作動口１１ａ及び作動ゲート１１ｂを備えており、その作動口１１ａの入口には羽根１３が開閉可能に支持されている。
【００４４】
大入賞口ユニット１２は、大入賞口１２ａ及び開閉手段としてのシャッタ１４を備えている。シャッタ１４は、大入賞口１２ａの側部に設けられた図示しない大入賞口用ソレノイドにより作動し、大入賞口１２ａを開閉する。詳しくは、当該ソレノイドが励磁状態となることにより、シャッタ１４が略水平に傾き、これにより大入賞口１２ａが開かれる。また、ソレノイドが非励磁状態となることにより、シャッタ１４が略垂直状態となり、これにより大入賞口１２ａは閉鎖される。
【００４５】
遊技盤３の遊技領域内の周辺部分には、一般入賞口ユニット１５，１６，１７，１８が設けられている。一般入賞口ユニット１５〜１８は、一般入賞口１５ａ，１６ａ，１７ａ，１８ａを備えている。
【００４６】
大入賞口ユニット１２の上方となる遊技盤３の遊技領域中央部分には、特別図柄表示装置（以下、単に「表示装置」という）ＤＳが、装飾カバー９０とともに取付けられている（図４参照）。表示装置ＤＳは、表示領域として液晶ディスプレイ（ＬＣＤ）よりなる表示部ＤＳａを備えており、ここに複数、例えば３つの識別情報列たる図柄列が表示される。図柄列は、基本的には、複数種類の識別情報たる図柄によって構成されている。これらの図柄は、確定時（停止時）における組合せによって特別遊技図柄としての大当たり図柄、外れリーチ図柄及び外れ図柄のいずれかになり得る。
【００４７】
表示装置ＤＳの表示部ＤＳａでは、遊技球Ｂの作動口１１ａへの入賞に基づいて、各図柄列の可変表示たる図柄変動、例えばスクロール変動が開始される。また、大当たり図柄、外れリーチ図柄、外れ図柄の中から１つが選択され、これが確定図柄として設定される。確定図柄とは、各図柄列が図柄変動を停止したときに表示される図柄である。
【００４８】
大当たり図柄は、いわゆるリーチ状態を経た後、遊技者に有利な大当たり状態を発生させるための図柄である。詳しくは、全ての図柄列の変動が停止したときに表示されている図柄の組合せが、予め定められた大当たりの組合せ、すなわち同一種類の図柄が大当たりラインに沿って並んでいるときの同図柄の組合せ（例えば、「７」、「７」、「７」の図柄）となる場合がある。この組合せを構成する図柄が「大当たり図柄」である。大当たりの組合せが成立すると、遊技者にとって有利な特別遊技状態たる大当たり状態となる。この場合、大入賞口１２ａが開かれ、遊技者はより多くの景品媒体たる景品球を獲得することが可能となる。
【００４９】
表示部ＤＳａの上方において、装飾カバー９０には発光ダイオード（ＬＥＤ）からなる保留ランプ２１ａ，２１ｂ，２１ｃ，２１ｄが組み込まれている。保留ランプ２１ａ〜２１ｄは、基本的には作動口１１ａへの入賞に基づく変動表示の保留毎に点灯し、その保留に対応した変動表示の実行に伴い消灯する。
【００５０】
装飾カバー９０の上部には、普通図柄表示部としてのＬＥＤよりなる７セグ表示部２２が設けられている。装飾カバー９０の左右両側方には一対の通過ゲート２３ａ，２４ａを備えた通過ゲートユニット２３，２４が配設されている。同通過ゲート２３ａ，２４ａを遊技球Ｂが通過することに基づいて、前記７セグ表示部２２が作動する。本実施の形態では、７セグ表示部２２は、「０」から「９」までの数字を可変表示する。そして、その数字が所定値（本実施の形態では「７」）で停止することに基づいて、作動口ユニット１１の羽根１３が所定秒数開放するようになっている。この開放により、作動口１１ａへの入賞が比較的容易なものとなる。７セグ表示部２２の周辺近傍においては、遊技球Ｂの通過ゲート２３ａ，２４ａの通過回数が４回まで記憶表示され、図示しない４つの保留ランプでその保留数が表示される。
【００５１】
なお、遊技盤３の複数箇所には、遊技効果を高めたり、遊技状況を遊技者に示唆するための各種ランプ等の他の役物が取付けられている（ランプ風車、コーナー飾り等）。
【００５２】
本実施の形態では、遊技者の操作に応じて変化するパチンコ機の遊技状態を検出するべく、遊技盤３には、遊技球Ｂの入賞を検出するための種々の検出スイッチが取付けられている。より詳しくは、作動ゲート１１ｂには作動ゲート用スイッチ３１が、作動口１１ａ近傍には作動口用スイッチ３２が、それぞれ設けられており、その他必要に応じて後述する多数の検出スイッチが取り付けられている。本実施の形態では、作動口用スイッチ３２にて遊技球Ｂの入賞が検出された場合、遊技者に対し、１入賞あたり５個の景品球が払い出されるようになっている。
【００５３】
大入賞口１２ａ近傍には、２つの大入賞口用スイッチ３３，３４が設けられている。シャッタ１４の内側面には、逆ハの字状をなす図示しない案内レールが一体形成されており、該案内レールにより、大入賞口１２ａに入賞した入賞球は円滑に、かつ、速やかにいずれかの大入賞口用スイッチ３３，３４を通過しうる。本実施の形態では、大入賞口用スイッチ３３，３４にて遊技球Ｂの入賞が検出された場合、遊技者に対し、１入賞あたり１５個の景品球が払い出されるようになっている。さらに、一般入賞口１５ａ〜１８ａ近傍には、一般入賞口用スイッチ３５，３６，３７，３８が設けられている。本実施の形態では、一般入賞口用スイッチ３５〜３８にて遊技球Ｂの入賞が検出された場合、遊技者に対し、１入賞あたり１０個の景品球が払い出されるようになっている。なお、上記景品球の払い出し数（「５個」又は「１０個」又は「１５個」）に関する数値はあくまでも例示であって、上記数値に何ら限定されるものではない。従って、例えば「６個」「７個」「１１個」「１２個」「１３個」「１４個」「１６個」或いはそれ以上（例えば「２５個」）等の数値を採用しても何ら差し支えない。併せて、通過ゲート２３，２４には、通過ゲート用スイッチ３９，４０が設けられている。
【００５４】
そして、これらスイッチ３１〜４０により、遊技球Ｂの作動ゲート１１ｂの通過や作動口１１ａへの入賞、大入賞口１２ａへの入賞、或いは一般入賞口１５ａ〜１８ａへの入賞や、通過ゲート２３ａ，２４ａの通過等が検出される。
【００５５】
本実施の形態では、上記各スイッチ３１〜４０の検出結果に基づき、各種ソレノイドや、表示装置ＤＳ、各保留ランプ２１ａ〜２１ｄ、各種ランプ、スピーカ８、パルスモータ等の各種外部装置をそれぞれ駆動制御するために制御装置５０が設けられている。制御装置５０は、図３に示すように、主基板（制御基板、遊技制御基板を構成する）５１、払出制御基板５２、表示制御基板５３、音声制御基板５４、ランプ制御基板５５及び発射制御基板５６等の各種制御基板を備えている。特に主基板５１及び払出制御基板５２は例えば透明樹脂等よりなる被包部材を構成する基板ボックス１４０Ａ，１４０Ｂ内に収容され、表示制御基板５３は表示装置ＤＳ内に収容されている。なお、各基板５１〜５６の取り付け位置としては、少なくともパチンコ機の正面側に露出しないように配設されていればよく、入賞球集合カバー、遊技盤３裏面、機構盤、前面枠等の枠体、又は専用の支持部材等のいずれに取り付けてもよいが、本実施の形態では他の各種機器との関連性から合理的な位置に取り付けられている。
【００５６】
前記遊技盤３の背面側に設けられた機構盤の上部には、主たる電源（電源電圧）が供給される電源スイッチ基板６１が設けられているとともに、機構盤の下部には、前記電源スイッチ基板６１からの電源を適宜供給するための電源分配基板６２が設けられている。前記主基板５１の基板ボックス１４０Ａは、機構盤の後部において、前記表示装置ＤＳの下方に設けられている。図３に示すように、機構盤には、表示装置ＤＳを覆うようにして樹脂製の保護部材としての保護カバー６３が装着されており、これにより、上部のタンク６４等から落下してくる遊技球Ｂ等から表示装置ＤＳが保護されるようになっている。そして、主基板５１の基板ボックス１４０Ａの大部分は、前記保護カバー６３からはみ出すようにして横長に配置されている。
【００５７】
払出制御基板５２は、前記主基板５１の側方に設けられている。当該主基板５１及び払出制御基板５２には、前記電源分配基板６２からの分配された電源電圧がそれぞれ印加される。また、表示制御基板５３、音声制御基板５４及びランプ制御基板５５には、主基板５１からの電源電圧がそれぞれ供給される。さらに、発射制御基板５６には、前記払出制御基板５２からの電源電圧が供給されるようになっている。タンク６４から上皿５に至る球払出通路の中途位置には球払出装置６５，６６（景品球払出装置６５と貸出球払出装置６６）が設けられており、球払出装置６５，６６は払出制御基板５２からの出力信号に基づいて駆動制御されるようになっている。景品球払出装置６５及び貸出球払出装置６６は景品球又は貸出球を払出すために駆動される駆動モータを備えており、該モータの駆動に基づいて１個ずつの球払出処理が行われる。なお、パチンコ機には情報端子が設けられており、該情報端子からホールコンピュータや外部のカウント表示装置等へ当該パチンコ機における各種遊技情報（例えば本日の大当たり回数、図柄の変動回数、出玉に関する情報等）が出力されるようになっている。
【００５８】
上記払出制御基板５２について更に説明すると、払出制御基板５２には、景品球払出のための処理を行うべくＣＰＵ、ＲＯＭ、ＲＡＭその他の電子部品が組み込まれた図示しない景品球払出処理回路部と、貸出球払出のための処理を行うべくＣＰＵ、ＲＯＭ、ＲＡＭその他の電子部品が組み込まれた図示しない貸出球払出処理回路部とが実装されている。
【００５９】
景品球払出処理回路部は、主基板５１と接続されていて、主基板５１からは前記各スイッチ検出に基づく景品球の払出指令が景品球払出処理回路部に送信され、景品球払出処理回路部はその払出指令に応じた景品球の払出を行うべく景品球払出装置６５を駆動制御するとともに景品球払出数等の検出データを主基板５１に送信する。なお、かかる検出データは景品球払出装置６５に内蔵された検出スイッチからの信号に基づいて生成される。従って、主基板５１は景品球払出については不正がないかどうかのチェックを行うことができる。
【００６０】
一方、貸出球払出処理回路部は、主基板５１の統括下におかれることなく、独自に制御を実行する。即ち、貸出球払出処理回路部はカードサンド９、貸出球払出装置６６及びカード関連ユニット１０と接続されており、カードサンド９のカード挿入口９ａにカードが挿入されたときのカードに関わる情報の受信、カード関連ユニット１０の操作に基づくカードに書き込むべき情報の送信、同じくカード関連ユニット１０の操作に基づく貸出球払出装置６６の駆動制御、カード情報に基づく残額表示器１０ｃの表示制御、貸出球払出装置６６からの貸出球払出情報のチェック等、を行う。従って、主基板５１はカードに基づく貸出球の払出に関しては何ら関与していない。このように構成しておけば、例えばカードを利用しない形式のパチンコ機とすることが主基板５１等を改変することなく実現でき、カードの利用有無によるパチンコ機の形態変更に関する互換性に優れたものとなる。
【００６１】
次に、上記のように構成されたパチンコ機の作用について説明する。遊技者がハンドル７を操作することにより、遊技球発射機構６７から遊技球Ｂが遊技領域内に発射される。そして、作動口１１ａに遊技球Ｂが入賞すると、作動口用スイッチ３２から主基板５１に検出信号が送信される。主基板５１はその検出信号に基づいて各種指令を各種制御基板等へ出力する。そして、指令を受信した各種制御基板等では、各指令に基づいた各種制御が行われる。
【００６２】
例えば、主基板５１は表示制御基板５３に対して図柄変動に関する指令を出力し、表示装置ＤＳはその指令に基づいて図柄を変動表示する。また、景品球払出処理回路部は主基板５１からの指令に基づいて所定数のパチンコ球を上皿５に払い出す。
【００６３】
主基板５１は、作動口用スイッチ３２からの検出信号を受信するとともに、所定のカウンタの出力値を読取り、大当たり抽選を行う。大当たり抽選では、カウンタの出力値が所定値であれば、「大当たり」を発生させる。一方、カウンタの出力値が所定値以外であれば、「はずれ」である通常の遊技状態を継続する。
【００６４】
「大当たり」が選ばれた場合、表示部ＤＳａでは大当たり図柄が大当たりラインに並んで停止表示され、大当たりが確定する。その後、主基板５１は、大入賞口１２ａ用のソレノイドを励磁させることで、シャッタ１４を倒して略水平状態とし大入賞口１２ａを開放する。これにより、遊技者が多数個の遊技球Ｂを取得できる状態となる。
【００６５】
そして、主基板５１は、大入賞口用スイッチ３３，３４からの検出信号に基づいて遊技球Ｂの入賞個数をカウントする。主基板５１は、入賞個数が例えば１０個に達すると、シャッタ１４を戻して大入賞口１２ａを閉鎖する。主基板５１はこれを所定回数繰り返し、所定回数終了とともに大当たりを終了する。
【００６６】
「はずれ」が選ばれた場合、表示部ＤＳａでは外れ図柄が停止表示される。そして、主基板５１は、図柄の変動表示が保留されている場合には、図柄の変動表示を繰り返し行う。ここで、図柄の変動表示が保留されていない場合には、主基板５０は、作動口用スイッチ３２から新たな検出信号が入力されるまで待機する。
【００６７】
さて、上述したように表示装置ＤＳが遊技盤３に取付けられているが、本実施の形態においてはその取付構造に特徴があるため、その取付構造について図４及び図５を参照しつつ以下に説明する。
【００６８】
遊技盤３の略中央部には、略長方形状の窓部８１が形成されている。窓部８１の周縁には、遊技盤３前面側において凹状の係合段差部としての段差部８２が形成されている。
【００６９】
窓部８１には箱枠部材としての取付枠８３が装着されている。取付枠８３は前面部が開口し底部が閉ざされた形状をなし、その開口部が遊技盤３前面に向いた状態で装着されている。具体的には、取付枠８３は、窓部８１に嵌合される開口枠部８４と、略直方体形状の表示装置ＤＳが収納される収納凹部８５とが合成樹脂等により一体形成されている。収納凹部８５は、開口枠部８４の反開口側に位置しており、遊技盤３の背面側に突出した状態となっている。
【００７０】
開口枠部８４の開口形状は、その外周面が窓部８１の内周面に沿った略長方形状となっている。外周面の奥行き方向の長さは遊技盤３の厚さとほぼ同じになっている。従って、開口枠部８４は、その外周面が窓部８１の内周面に当接するように窓部８１に嵌合されている。
【００７１】
開口枠部８４の開口端部周縁には、開口面に平行するように張出した係止縁部としてのフランジ部８６が形成されている。フランジ部８６の外周形状は、上記段差部８２に合致するような略長方形状となっている。従って、開口枠部８４が窓部８１に嵌合された状態では、フランジ部８６が段差部８２に嵌まり込み、フランジ部８６の前面部と遊技盤３の前面部とが略同一面となっている。
【００７２】
収納凹部８５の形状は、その内周面が表示装置ＤＳの外周面に沿った形状となっている。従って、表示装置ＤＳは、その外周面が収納凹部８５の内周面に当接するように収納凹部８５に収納されている。
【００７３】
収納凹部８５の開口部は、開口枠部８４の開口形状を縮小した略長方形状となっており、前記開口部の周縁には、開口枠部８４と繋がった段差部８７が形成されている。収納凹部８５に表示装置ＤＳが収納された状態では、段差部８７と表示装置ＤＳの前面部とが略同一面となっている。なお、前記開口部に係止爪等を形成して、表示装置ＤＳが収納凹部８５に保持されるようにしてもよい。
【００７４】
一方、表示装置ＤＳは、例えば透明な合成樹脂等から形成されており、その内部に表示部ＤＳａや、表示部ＤＳａと電気的に接続された前記表示制御基板５３等を収納している。表示部ＤＳａは表示装置ＤＳの前面部に収納されており、表示装置ＤＳは表示部ＤＳａが遊技盤３前面を向くように収納凹部８５に収納されている。
【００７５】
また、図６に示すように、表示装置ＤＳの背面には、表示制御基板５３に設けられた接続端子としてのコネクタ５３ａが露出するようにコネクタ窓８８が形成されている。収納凹部８５の背面部には、コネクタ窓８８に合致するように通孔８９が形成されている。このような構造により、外部から図示しないコネクタケーブルをコネクタ５３ａに接続でき、表示装置ＤＳと主基板５１等とが電気的に接続可能となる。
【００７６】
さて、遊技盤３の前面部には、装飾部材としての装飾カバー９０が取付けられている。装飾カバー９０は、遊技盤３の前面部に突出する装飾部９１と、窓部８１に挿入される挿入部９２とから構成されている。装飾部９１と挿入部９２は、それぞれ上記表示部ＤＳａに合致するような窓を有した窓枠形状をしている。
【００７７】
挿入部９２が窓部８１に挿入された状態では、挿入部９２の先端部が前記段差部８７と表示装置ＤＳの前面部に当接し、表示装置ＤＳが収納凹部８５から抜け落ちるのが防止されている。
【００７８】
装飾部９１は、窓部８１よりやや大きくなっており、その周縁にはネジ止め用のネジ孔９３が複数箇所に形成されている。そして、装飾カバー９０は、装飾部９１が上記段差部８２を覆うように遊技盤３にネジ止めされている。これにより、装飾部９１が上記フランジ部８６を押さえつけることなり、取付枠８３が窓部８１から抜け落ちるのを防止している。
【００７９】
さて、表示装置ＤＳの取付順序としては、まず表示装置ＤＳを取付枠８３に嵌め込む。そして、取付枠８３を窓部８１に嵌め込む。その上から装飾カバー９０を遊技盤３にネジ止めする。
【００８０】
以上説明したように、表示装置ＤＳがビス等の固定部材を使わずに取付枠８３に取付けられている。また、取付枠８３も固定部材を使わずに遊技盤３に取付けられている。また、表示装置ＤＳの取付作業も、表示装置ＤＳを取付枠８３に嵌め込み、取付枠８３を窓部８１に嵌め込むだけの比較的簡単な作業である。このため、慎重な取付作業を必要とせず、作業の効率化を図ることができる。また、パチンコ機等を構成する部品点数の増大、その組付け工程における工数の増大等といった不具合を低減することができる。さらに、表示装置ＤＳの取付作業中において、ビス止め作業等により、表示装置ＤＳや取付枠８３が破損してしまうといった不具合も防止することができる。
【００８１】
〔第２の実施の形態〕
以下、第２の実施の形態について、図７乃至図１０を参照しつつ説明する。なお、第１の実施の形態と構成の重なる部分については説明を省略する。
【００８２】
遊技盤３の窓部８１には、その背面側において取付枠１０１が取付けられている。取付枠１０１は、前面が開口した箱枠形状をなし、例えば合成樹脂等により形成されている。取付枠１０１の左右両側面には、その開口側端部においてフランジ部１０２が形成されている。各フランジ部１０２は、取付枠１０１の開口面に沿うように外側に突出している。各フランジ部１０２には、それぞれネジ止め用の複数のネジ孔１０３が形成されている。
【００８３】
遊技盤３の背面側において、窓部８１の左右両側には図示しない凹状の段差部が設けられており、この段差部にフランジ部１０２が嵌め込まれることによって取付枠１０１が位置決めされる。そして、取付枠１０１は、位置決めされた上で遊技盤３にネジ止めされている。
【００８４】
取付枠１０１の背面側には、表示装置ＤＳを嵌め込むための嵌合凹部１０４が形成されている。嵌合凹部１０４の開口形状は、その内周側面が表示装置ＤＳの外周側面と合致する長方形状となっている。
【００８５】
嵌合凹部１０４の底部には長方形状の窓が形成されている。そして、表示装置ＤＳが嵌合凹部１０４に嵌め込まれた状態では、表示装置ＤＳの前面部周縁が底部周縁１０５に当接されるとともに、表示部ＤＳａ（表示装置ＤＳ前面部）が露出した状態となる。
【００８６】
表示装置ＤＳには、その下側面において一対の第１係止部材としての位置決め部材１２０が突出するように形成されている。また、取付枠１０１には、嵌合凹部１０４の左右両端部の下方において、前記各位置決め部材１２０を嵌入し得る一対の第１受部としての下側受部１２１が背面側に突出するように形成されている。各下側受部１２１は、位置決め部材１２０を上方から嵌入可能なように上部が開口した凹状の形状となっている。
【００８７】
各位置決め部材１２０は、板形状をした板体部１２０ａと、板体部１２０ａの両側面に形成された一対の側壁部１２０ｂとから構成されている。各側壁部１２０ｂは、その側方の断面形状が基端部から先端部へ向かって先細りする略台形状となっている。これにより、下側受部１２１に嵌入し易くなっている。
【００８８】
これに対して、各下側受部１２１は、取付枠１０１の背面に相対向する背部１２２が取付枠１０１の背面に対して傾斜するように形成されており、その側方の断面形状が開口部から底部へ向かって先細りする略台形状となっている。これにより、位置決め部材１２０を嵌入し易くなっている。
【００８９】
また、各板体部１２０ａの先端部には、係合凹部としての位置決め凹部１２３が一側壁部１２０ｂとの境目において形成されている。これに対して、背部１２２の内側には、位置決め凹部１２３と係合され得る略円柱形状の係合突部としての位置決め突部１２４が形成されている。これにより、位置決め部材１２０の位置決めが容易になる。
【００９０】
一方、表示装置ＤＳの上側面には、その左右両端よりやや中央よりに、一対の着脱手段としてのスライドバー・ユニット１２５が設けられている。各スライドバー・ユニット１２５は、表示装置ＤＳの上側面に突出するように一体形成された保持部としてのバー保持部１２６と、バー保持部１２６によってスライド可能に保持されたスライドバー１２７とから構成されている。なお、スライドバー１２７は、本実施の形態における係止部材又は第２係止部材に相当する。
【００９１】
これに対して、取付枠１０１には、嵌合凹部１０４の左右両端部の上方において、前記各スライドバー１２７の先端部を嵌入し得る一対の第２受部としてのバー受部１２８が背面側に突出するように形成されている。各バー受部１２８は、相対向する面が開口した箱体形状しており、表示装置ＤＳが取付枠１０１に取付けられた状態では、その下側面が表示装置ＤＳの上側面と当接するようになっている。
【００９２】
次に、スライドバー・ユニット１２５について詳しく説明する。各バー保持部１２６は、スライドバー１２７の後部を収納可能なように一側面が開口した箱体形状となっている。各バー保持部１２６には、その一側面壁が開口部より延出した延出部１３０が形成されている。また、表示装置ＤＳの上側面には、スライドバー１２７を挟んで延出部１３０と並行するように、ガイド突部１３１が形成されている。
【００９３】
各バー保持部１２６の開口部は相反する方向に向いている。従って、表示装置ＤＳが取付枠１０１に取付けられた状態では、各バー保持部１２６は、その開口部がそれぞれ対応する各バー受部１２８の開口部と相対向するようになっている。
【００９４】
各スライドバー１２７は、略板形状をしており、例えば合成樹脂等により形成されている。スライドバー１２７は、延出部１３０とガイド突部１３１とに挟まれるように保持されており、延出部１３０とガイド突部１３１とをガイドレールとしてスライドする。なお、延出部１３０の上端部は、バー保持部１２６の上側面に沿うように内側に折れ曲がっており、スライドバー１２７の抜け落ちを防止するような構造となっている。
【００９５】
スライドバー１２７には、その長手方向の略中央部において、当該スライドバー１２７を操作するための操作部１２７ａが一体形成されている。また、操作部１２７ａ後方において、係止部１２７ｂが形成されている。
【００９６】
係止部１２７ｂは、スライドバー１２７がコ字状に切欠かれたように形成されており、スライドバー１２７の後端部側を自由端、先端部側を固定端とするような構造となっている。係止部１２７ｂの自由端には、その上側において、断面三角形状の係止突部１２７ｃが形成されている。
【００９７】
これに対して、前記バー保持部１２６の上側壁内側には、係止突部１２７ｃが係合され得る断面三角形状の係合溝１３２が、スライドバー１２７の長手方向と直交するように形成されている。
【００９８】
スライドバー１２７の先端部は、中央部に比べて薄肉状になっており、バー受部１２８に嵌入可能なようになっている。なお、当該先端部の一側面には、先端係合凹部１２７ｄが形成されている。
【００９９】
これに対して、各バー受部１２８の一内側面には、前記先端係合凹部１２７ｄと係合する先端係合突部１２８ａが形成されている。
【０１００】
図１０（ａ）に示すように、表示装置ＤＳが取付枠１０１から取り外されている状態では、スライドバー１２７の後部がバー保持部１２６に収容され、係止突部１２７ｃが係合溝１３２に係合された状態となる。
【０１０１】
図１０（ｂ）に示すように、表示装置ＤＳが取付枠１０１に取付けられている状態では、スライドバー１２７の先端部がバー受部１２８に嵌入され、先端係合突部１２８ａが先端係合凹部１２７ｃに係合された状態となる。なお、図１０（ｂ）では、便宜上、取付枠１０１本体は、その一部分のみを２点鎖線で示している。
【０１０２】
さらに、表示装置ＤＳの上側面には、その両端部において、当該表示装置ＤＳを取付枠１０１に取り付ける際、バー受部１２８をガイドするガイド突片１３３が突出するように形成されている。また、ガイド突片１３３とバー保持部１２６の開口部との距離は、スライドバー１２７の長手方向の長さとほぼ同じになっている。このため、ガイド突片１３３は、バー受部１２８をガイドする役割とは別に、表示装置ＤＳが取付枠１０１から取り外された状態では、スライドバー１２７の抜け落ちを防止する役割を果たす。
【０１０３】
さて、表示装置ＤＳの取付順序としては、表示装置ＤＳを取付枠１０１に対して傾斜させ、位置決め部材１２０の先端部を下側受部１２１の開口部に嵌入する。そして、側壁部１２０ｂを下側受部１２１の背部１２２に沿って滑らせるように、位置決め部材１２０全体を下側受部１２１の中に嵌入していく。ここで、位置決め突部１２４と位置決め凹部１２３とが係合されることにより、下側受部１２１の中において位置決め部材１２０の位置ずれが防止され、表示装置ＤＳをより正確に位置決めすることができる。
【０１０４】
位置決め部材１２０を嵌入するとともに、表示装置ＤＳを徐々に垂直状態にしていき嵌合凹部１０４に嵌め込んでいく。このとき、バー受部１２８をガイド突片１３３に合わせることによって表示装置ＤＳを位置決めしている。
【０１０５】
表示装置ＤＳが嵌合凹部１０４に完全に嵌め込まれると、バー受部１２８の開口部と、バー保持部１２６の開口部が相対向する位置関係となる。ここで、スライドバー１２７の操作部１２７ａを操作してバー受部１２８方向へスライドバー１２７をスライドさせる。このとき、係止突部１２７ｃの傾斜部分が係合溝１３２の傾斜部分に押圧されることにより、係止部１２７ｂが徐々に弾性変形され、スライドバー１２７がスライド可能となる。
【０１０６】
そして、スライドバー１２７の先端部がバー受部１２８に嵌入され、先端係合突部１２８ａと先端係合凹部１２７ｄとが係合される。このようにして、表示ＤＳは取付枠１０１に係止された状態となる。
【０１０７】
以上詳述したように、表示装置ＤＳがビス等の固定部材を使わずに取付枠１０１に取付けられている。これにより、パチンコ機等を構成する部品点数を低減することができる。
【０１０８】
表示装置ＤＳの取付作業も、位置決め部材１２０を下側受部１２１に嵌入し、スライドバー１２７を操作してバー受部１２８に嵌入するという比較的簡単な作業となっている。このため、慎重な取付作業を必要とせず、作業の効率化を図ることができる。さらに、パチンコ機等の組付け工程における工数を低減することができる。
【０１０９】
また、従来のように、ビス等の固定部材を使う表示装置の取付構造では、表示装置と取付枠に設けられたビス孔を合致させないまま、ビス止め作業を行ってしまうと、表示装置や取付枠を破損してしまうおそれがあった。しかしながら、上記のような表示装置ＤＳの取付構造では、ビス等の固定部材を使わずに表示装置ＤＳが取付けられているため、その取付作業中において、表示装置ＤＳや取付枠１０１が破損してしまうといった不具合も防止することができる。
【０１１０】
加えて、上記のような表示装置ＤＳの取付構造では、表示装置ＤＳの交換や取外しも比較的容易に行うことができ、結果として、表示装置ＤＳの再利用や産業廃棄物の減量化を図ることができる。
【０１１１】
尚、上述した実施の形態の記載内容に限定されることなく、例えば次のように実施してもよい。
【０１１２】
上記第２の実施の形態では、位置決め部材１２０は表示装置ＤＳの下側面に設けられ、スライドバー・ユニット１２５は表示装置ＤＳの上側面に設けられている。これに限らず、位置決め部材１２０やスライドバー・ユニット１２５が表示装置ＤＳの左右側面に設けられていてもよい。また、位置決め部材１２０やスライドバー・ユニット１２５の数も２つに限定されるものではなく、１つとしてもよいし、３つ以上としてもよい。
【０１１３】
上記第２の実施の形態では、取付枠１０１の背面側に形成された嵌合凹部１０４の底部には、長方形状の窓が形成されている。これに限らず、前記窓を設けず、例えば、取付枠１０１を透明の合成樹脂等により形成し、表示部ＤＳａが遊技盤３の前面より透けて見えるようにしてもよい。
【０１１４】
上記第２の実施の形態では、着脱手段としてスライドバー１２７が設けられていたが着脱手段はこれに限られるものではない。例えば、表示手段ＤＳに所定軸を中心に回動駆動する取付レバーを設け、このレバーを操作して取付枠１０１に係止させることにより、表示手段ＤＳが取付けられるようにしてもよい。
【０１１５】
上記実施の形態とは異なるタイプのパチンコ機等として実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。大当り図柄が表示された後に所定の領域に遊技球を入賞させることを必要条件として特別遊技状態となるパチンコ機として実施してもよい。カードを用いないパチンコ機へ適用するようにしてもよい。また、パチンコ機以外にも、アレンジボール機、雀球、いわゆるパチンコ機とスロットマシンとが融合した遊技機等の各種遊技機として実施することも可能である。なお、パチンコ機とスロットマシンとが融合した遊技機の具体例としては、複数の図柄からなる図柄列を変動表示した後に図柄を確定表示する可変表示手段を備えており、遊技球打出用のハンドルを備えていないものが挙げられる。この場合、所定の操作（ボタン操作）に基づく、所定量の遊技球の投入の後、例えば操作レバーの操作に起因して図柄の変動が開始され、例えばストップボタンの操作に起因して或いは所定時間経過することにより図柄の変動が停止され、その停止時の確定図柄がいわゆる大当たり図柄であることを必要条件として遊技者に有利な大当たり状態が発生させられ、遊技者には、下部の受皿に多量の遊技球が払い出されるものである。
【図面の簡単な説明】
【０１１６】
【図１】一実施の形態におけるパチンコ機を示す斜視図である。
【図２】パチンコ機の遊技盤面の正面図である。
【図３】各種基板及び基板ボックス等を説明するためのパチンコ機の背面図である。
【図４】第１の実施の形態における表示装置の取付構造を示すための各部材の分解斜視図である。
【図５】第１の実施の形態における遊技盤の窓部における断面図である。
【図６】第１の実施の形態における遊技盤の背面図である。
【図７】第２の実施の形態における取付枠の背面図である。
【図８】第２の実施の形態における表示装置の背面図である。
【図９】第２の実施の形態における遊技盤の窓部における断面図である。
【図１０】（ａ）は表示装置を取り外した状態でのスライドバー・ユニットの状態を示す図であり、（ｂ）は表示装置を取付けた状態でのスライドバー・ユニットの状態を示す図である。ある。
【符号の説明】
【０１１７】
３…遊技盤、５３…表示制御基板、ＤＳ…特別図柄表示装置（表示装置）、８１…窓部、８２…係合段差部としての段差部、８３…箱枠部材としての取付枠、８４…開口枠部、８５…収納凹部、８６…係止縁部としてのフランジ部、９０…装飾部材としての装飾カバー、１０１…取付枠、１０４…嵌合凹部、１２０…第１係止部材としての位置決め部材、１２１…第１受部としての下側受部、１２３…係合凹部としての位置決め凹部、１２４…係合突部としての位置決め突部、１２５…着脱手段としてのスライドバー・ユニット、１２６…保持部としてのバー保持部、１２７…係止部材又は第２係止部材としてのスライドバー、１２７ａ…操作部、１２７ｂ…係止部、１２７ｃ…係止突部、１２７ｄ…先端係合凹部、１２８…第２受部又は嵌入受部としてのバー受部、１３０…延出部、１３１…ガイド突部、１３２…係合溝、１３３…ガイド突片。
【図１】
2004305774.tif 000003
【図２】
2004305774.tif 000004
【図３】
2004305774.tif 000005
【図４】
2004305774.tif 000006
【図５】
2004305774.tif 000007
【図６】
2004305774.tif 000008
【図７】
2004305774.tif 000009
【図８】
2004305774.tif 000010
【図９】
2004305774.tif 000011
【図１０】
2004305774.tif 000012